(57)【要約】【課題】    簡単な操作を実行するだけで、座りパッドの前後相対的位置を容易に調整可能な機能性を有する椅子の座りパッドの調整構造を提供すること。【解決手段】    キャリア・パーツ１１が、位置決め部材３と、位置決め部材３の両側に滑走自在に係合したスライド枠フレーム２とよりなる調整ユニット４を備えており、位置決め部材３がキャリア・パーツ１１に連結され、スライド枠フレーム２が座りパッドに連結されている。【選択図】図１
2005224522.tif 000002
【特許請求の範囲】
【請求項１】
トップ・エッジにおけるキャリア・パーツにおいて座りパッドが取り付けられるレッグ・サポート・パートを有する、椅子の座りパッドの調整構造であって、
前記レッグ・サポート・パートのトップ・エッジにおけるキャリア・パーツが、位置決め部材と、位置決め部材の両側に滑走自在に係合したスライド枠フレームとよりなる調整ユニットを備えており、
位置決め部材が前記キャリア・パーツに連結され、
前記スライド枠フレームが前記座りパッドに連結され、
前記スライド枠フレームの一側には、位置決め部材を自由状態と係止状態に切替え可能な弾性係止部材を組付け、
前記弾性係止部材を上方向へ作動して、位置決め部材を自由状態にして、座りパッドを前後方向に位置を調節した後、前記弾性係止部材を下方向へ作動して、位置決め部材を係止状態にして位置を保持するように構成したことを特徴とする、
椅子の座りパッドの調整構造。
【請求項２】
前記スライド枠フレームの両側にはガイド・スリットを形成し、ガイド・スリットによって、前記位置決め部材の対応する周辺部を安定して係合し、且つスライド枠フレームの有する二つのガイド・スリットの前後においてそれぞれ内方へ向けて突出するストッパーを形成し、これらのストッパーによって前記スライド枠フレームが位置決め部材に対して前後方向の最大スライド位置を設定可能に構成したことを特徴とする、請求項１に記載の椅子の座りパッドの調整構造。
【請求項３】
前記位置決め部材の側面に所定の間隔隔てて複数の凹み穴を形成し、前記スライド枠フレームに設けた弾性係止部材の内部のロッドを、前記凹み穴に嵌合可能に構成したことを特徴とする、請求項１に記載の椅子の座りパッドの調整構造。
【請求項４】
前記位置決め部材に形成した孔部と、前記スライド枠フレームに形成した孔部との間に弾性部材を掛け渡し、前記弾性部材の復元力によりスライド枠フレームを前記位置決め部材に引き寄せる復位機能を付与したことを特徴とする、請求項１に記載の椅子の座りパッドの調整構造。
【請求項５】
前記位置決め部材の両側近傍の前後とその上下面において所定の間隔を介して複数個のスチール・ボールを嵌め込み、前記スチール・ボールを介在させることによって、位置決め部材に対してスライド枠フレームと一体の座りバッドの前後方向のスライドを平滑に実行させるように構成したことを特徴とする、請求項１に記載の椅子の座りパッドの調整構造。
【発明の詳細な説明】
【技術分野】
【０００１】
本発明は、一種の椅子の座りパッドの調整構造に係わり、特に椅子のレッグ・サポート・パート（脚柱）のトップ・エッジ（上部）に組立てられる座りパッドが普段に使用される際に、個人の使用習慣または仕事のニーズにしたがって、その座りパッドを前向けてまたは後向けて好ましい方位への調整及び位置決めを実行できる、一種の椅子の座りパッドの調整構造に関するものである。
【背景技術】
【０００２】
関連する業者は、各種のそれぞれ異なる使途とそれぞれ異なる機能性を有する椅子装置を開発した。それらの椅子装置は、その構成形態がそれぞれ異なるほか、それらの椅子装置は、普段、使用される場合に、その操作機能の操作手数もそれぞれ異なっており、これらの特殊な機能性を有する椅子装置は、大体後記のようないくつの類型を含んでいる。つまり、椅子装置全体の高さを昇降調整可能にした構成や、背当て部材の仰ぎ角度や前後位置や上下位置などを調整可能にした構成や、両側における取っ手を昇降させたり、前後方向または内外方向へ変位させたりスイング角度などを調節可能にした構成などのように、多くの機能や形態を有しており、消費者は、それぞれその要する使途に応じて好適なものを選択して購入している。
【発明の開示】
【発明が解決しようとする課題】
【０００３】
本発明は、前記のいくつかの機能を有する従来の椅子装置に対し、その座りパッドを前後方位調整可能にする特殊な組立形態を設計し、使用者がその椅子装置に座り込む場合にその椅子装置を自分の使用習慣または仕事のニーズに応じてその座りパッドを最も好ましい位置と方位に調整できるようにすることともに、その調整された位置または方位を安定にリミットできるような創作を提供することをその主要な解決しようとする課題とする。
【課題を解決するための手段】
【０００４】
前記の目的を図るために、本発明は、レッグ・サポート・パートのトップ・エッジにおけるキャリア・パーツには、座りパッド調整ユニットが取り付けられ、当該座りパッド調整ユニットには、そのトップ・エッジに前記座りパッドを取り付けるためのスライド枠フレームと、そのスライド枠フレームの両側のガイド・スリットに係入され、組立てる場合に前記レッグ・サポート・パートのトップ・エッジと固着される位置決め部材と、を備えており、また、前記位置決め部材の両側における対応しあう箇所にはそれぞれ所定のギャップを介して複数の凹み穴が形成され、それらによって前記スライド枠フレームの対応しあういずれの外側の組立てられる弾性係止ユニットを係止し、また、前記位置決め部材の後側近傍における孔部と前記スライド枠フレームの前側近傍における孔部には弾性部材が掛けられ、それらによって前記スライド枠フレームを後向けて復位する弾性手段を有させるように設定し、他に、前記位置決め部材の両側の前後とその上下層面に沿って所定のギャップを介して複数個のスチール・ボールを配設することによって、前記スライド枠フレームの両側のガイド・スリットに係入するための手段として利用し、座りパッドが前後変位を実行する場合に、良好的な平滑さを保持させることが出来るとともに、そのスライド枠フレームの両側のガイド・スリットの前後方位にそれぞれ内方へ向けてストッパーを形成させることによってその間における位置決め部材を係合して前進と後退の際のリミットとすることを特徴とする、椅子の座りパッドの調整構造を提供する。
また本発明は前記スライド枠フレームの両側にはガイド・スリットを形成し、ガイド・スリットによって、前記位置決め部材の対応する周辺部を安定して係合し、且つスライド枠フレームの有する二つのガイド・スリットの前後においてそれぞれ内方へ向けて突出するストッパーを形成し、これらのストッパーによって前記スライド枠フレームが位置決め部材に対して前後方向の最大スライド位置を設定可能に構成したことを特徴とする、椅子の座りパッドの調整構造を提供する。
また本発明は、前記位置決め部材の側面に所定の間隔隔てて複数の凹み穴を形成し、前記スライド枠フレームに設けた弾性係止部材の内部のロッドを、前記凹み穴に嵌合可能に構成したことを特徴とする、椅子の座りパッドの調整構造を提供する。
また本発明は、前記位置決め部材に形成した孔部と、前記スライド枠フレームに形成した孔部との間に弾性部材を掛け渡し、前記弾性部材の復元力によりスライド枠フレームを前記位置決め部材に引き寄せる復位機能を付与したことを特徴とする、椅子の座りパッドの調整構造を提供する。
また本発明は、前記位置決め部材の両側近傍の前後とその上下面において所定の間隔を介して複数個のスチール・ボールを嵌め込み、前記スチール・ボールを介在させることによって、位置決め部材に対してスライド枠フレームと一体の座りバッドの前後方向のスライドを平滑に実行させるように構成したことを特徴とする、椅子の座りパッドの調整構造を提供する。
【発明の効果】
【０００５】
本発明は、前記の構成を有するため、前記レッグ・サポート・パートのトップ・エッジにおける調整ユニットが座りパッドに合せて前後方位の移動を実行する際に、スライド枠フレームのある側の弾性係止ユニットを上方へ引き上げることによってその内側のロッドを位置決め部材の凹み穴より離脱させることにより、スライド枠フレームとその上に一体に組付けた座りパッドとを同時に前後に変位させて好適な位置に調整してから、前記弾性係止ユニットを下に向けて押し付けることによってその内側のロッドを前記位置決め部材の凹み穴に嵌合させて位置決めすることができる。このように座りパッドの前後方向の位置の調節作業と、位置決め作業とを簡単でかつ確実に行うことができる。
【０００６】
以下に添付した図面を参照しながら、本発明の最良の形態を詳しく説明するが、その説明した具体的な構成は単に本発明の一例に過ぎないから、説明した具体的な構成に限定されるものではない。
【発明を実施するための最良の形態】
【０００７】
図１と図２に示すのは、本発明の構成を示す分解斜視図と組立斜視図である。
図面に開示してあるように、椅子装置のレッグ・サポート・パート（１）のトップ・エッジにおけるキャリア・パーツ（１１）には、座りパッド調整ユニット（４）が組立てられている。この座りパッド調整ユニット（４）は、座りパッドを組み付けるためのスライド枠フレーム（２）と、前記レッグ・サポート・パート（１）のトップ・エッジに固着される位置決め部材（３）とを備えている。位置決め部材（３）はスライド枠フレーム（２）の両側のガイド・スリット（２１）に組付けられる。
【０００８】
前記スライド枠フレーム（２）は、開口が相互に向かい合う二つのガイド・スリット（２１）と、これらの二つのガイド・スリット（２１）の間に所定の間隔を隔てて交差方向に配置して固定した前後位置決め部材（２２）とにより構成される。隔てられる二つの対応しあうガイド・スリット（２１）を方位の制限を実行し、
二つのガイド・スリット（２１）の一端側には、内方へ向けて突設するストッパー（２１１）が形成され、また二つのガイド・スリット（２１）の他端側に開設した孔部（２３１）には、ボルトやビスなどの螺合手段（２１２）を貫通させて螺合して、内方へ向けて突設するストッパーが形成される。前記ストッパー（２１１）はエッジ部を延伸して形成する図３参照）。
金属材料からなるいずれ一つのスライド枠フレーム（２）の外側には、弾性係止ユニット（２３）が組み付けられている。弾性係止ユニット（２３）については、出願人が先に知的財産権を出願し、且つ許可されたので、詳しい説明を省略する。
【０００９】
また、前記位置決め部材（３）の幅は、前記スライド枠フレーム（２）の両側のスライド・スリット（２１）の相互的関係にしたがって決められ、またその長さについては、スライドストロークの要求に応じて適宜選択して決定される事項である。前記位置決め部材（３）の側面には、所定の間隔を隔てて複数の凹み穴（３１）が段階的に形成されている。
位置決め部材（３）の側面の前後と、その上下面には、所定の間隔を隔てて複数の凹み穴（３１）が形成され、各凹み穴（３１）にスチール・ボール（３２）が嵌め込まれている。本例では、強固な材質のプラスチック材料によって一体成形した位置決め部材（３）の凹み穴（３１）にスチール・ボール（３２）を２／３以上の深さで嵌め込んだ場合を示す。
【００１０】
つぎに組立プロセスについて説明する。
図２と図３と図４に示すように、まず、前記位置決め部材（３）をスライド枠フレーム（２）の両側のガイド・スリット（２１）の後側の方位より差し込む。それから、ボルトやビス類等の螺合手段（２１２）を前記両側のガイド・スリット（２１）の孔部（２１３）に螺合してガイド・スリット（２１）の内方へ突出させる。前記した二つのガイド・スリット（２１）の前端近傍に突設したストッパー（２１１）と、ストッパー機能を有する螺合手段（２１２）とにより、スライド枠フレーム（２）がスライドした時に位置決め部材（３）から脱落するのを防止する。それとともに、前記位置決め部材（３）の側面に段階的に形成した凹み穴（３１）に対し、前記スライド枠フレーム（２）に組付けた弾性係止ユニット（２３）のロッド（２３１）を嵌合させる。
【００１１】
第二のプロセスは、前記位置決め部材（３）の後側近傍の孔部（３４）と、前記スライド枠フレーム（２）の前側近傍の孔部（２４）に対し、ばねなどの弾性部材（６）を掛け渡す。この弾性部材（６）の復元力によって、位置決め部材（３）に対してスライド枠フレーム（２）を後方へ向けて復位できるようにする。
その第三のプロセスは、前記位置決め部材（３）の四隅の螺孔（３３）を前記レッグ・サポート・パート（１）のトップ・エッジにおけるキャリア・パーツ（１１）の孔部（１２）に合せながら、前記螺合手段（５）によって二つの部材を連結する。また前記スライド枠フレーム（２）の前後位置決め部材（２２）を前記座りパッド（７）の螺孔部に合せて螺合手段（５）によって二つの部材を連結する（図４参照）。
以上の工程を経て座りパッド中性ユニット（４）を組立てる。
【００１２】
つぎに使用方法について説明する。
図５と図６に示すように、手でスライド枠フレーム（２）のある側の弾性係止ユニット（２３）を上に向けて引き上げて（図６に示す状態）、それによって、その内側のロッド（２３１）を位置決め部材（３）の凹み穴（３１）から離脱させる。こうすると、人間の臀部が座りパッド（７）に座って、スライド枠フレーム（２）と共に同時に前後方向にスライドさせて最適な位置に調整する（図３に示す位置参照）。その後、前記弾性係止ユニット（２３）を下に押し付けると（図４参照）、その内側のロッド（２３１）が再度に位置決め部材（３）の対応する凹み穴（３１）に嵌合して係止して位置決めされる。
このように簡単な操作を実行するだけで椅子の座りパッド（７）の前後方向の位置の調節と、安定した位置決めを実行することができる。
【図面の簡単な説明】
【００１３】
【図１】本発明の椅子の座りパッドの調整構造を示す分解斜視図である。
【図２】本発明の椅子の座りパッドの調整構造を示す組立斜視図である。
【図３】本発明の椅子の座りパッドの調整ユニットの方位の設定の状態を示す平面図である。
【図４】本発明の椅子の座りパッドの調整ユニットの方位の設定の状態を示す前面図である。
【図５】本発明の椅子の座りパッドの調整ユニットが前後変位を実行する場合の状況を示す平面図である。
【図６】本発明の椅子の座りパッドの調整ユニットが前後変位を実行する場合の状況を示す前面図である。
【符号の説明】
【００１４】
１      レッグ・サポート・パート
１１    キャリア・パーツ
２      スライド枠フレーム
２１    ガイド・スリット
２１１  ストッパー
２１２  螺合手段
２１３  孔部
２２    前後位置決め部材
２３    弾性係止ユニット
２３１  ロッド
２４    孔部
３      位置決め部材
３１    凹み穴
３２    スチール・ボール
４      座りパッド調整ユニット
５      螺合手段
６      弾性部材
７      座りパッド
【図１】
2005224522.tif 000003
【図２】
2005224522.tif 000004
【図３】
2005224522.tif 000005
【図４】
2005224522.tif 000006
【図５】
2005224522.tif 000007
【図６】
2005224522.tif 000008